(57)【要約】【課題】  直方体状の包装用箱を構成する面の連結辺が狭い場合にあっても、糊代が予定の位置から外れて糊付けされるなどの貼着位置のズレが生じない包装用箱用展開シート及び中間材の提供。【解決手段】  包装用箱を構成する面部材が一体に連結された展開シートであって、折曲げ線を介して直線的に連結された被補強面部材群の側方に、当該展開シートの組立時において前記折曲げ線による折りの指向性を補強し、当該展開シートの組立を終えた時に当該折曲げ線による折りの指向性の補強機能が解除される補強面部材群を折曲げ線を介して備え、前記補強面部材群は、前記被補強面部材群の折曲げ線の延長線上にあって組立時において分断される間欠切込線を介して連結されていることを特徴とする包装用箱用展開シート及び中間材。【選択図】      図１
2020172324.tif 000002
【特許請求の範囲】
【請求項１】
包装用箱を構成する面部材が一体に連結された展開シートであって、
折曲げ線を介して直線的に連結された被補強面部材群の側方に、当該展開シートの組立時において前記折曲げ線による折りの指向性を補強し、当該展開シートの組立を終えた時に当該折曲げ線による折りの指向性の補強機能が解除される補強面部材群を折曲げ線を介して備え、
前記補強面部材群は、前記被補強面部材群の折曲げ線の延長線上にあって組立時に分断される間欠切込線を介して連結されていることを特徴とする包装用箱用展開シート。
【請求項２】
直方体状の包装用箱を構成する複数の面部材が一体に連結された展開シートであって、
前記包装用箱の側面を構成する四つの側面部材及びそれらを環状につなぐ糊代片が折曲げ線を介して一列に連結された基面部材群と、
前記基面部材群の一側方に前記側面を構成する四つの側面部材の各々と折曲げ線を介して連結された四つの底面部材と、
前記基面部材群の反対側方に前記側面を構成する四つの側面部材の各々と折曲げ線を介して連結された四つの上面部材とを備え、
前記基面部材群を構成する面部材のいずれかからなる前記被補強面部材群の側方に、前記底面部材又は上面部材のいずれかからなり、且つ前記被補強面部材群の折曲げ線の延長線上にあって組立時において分断される間欠切込線を介して連結された前記補強面部材群が、折曲げ線を介して連結されていることを特徴とする請求項１に記載の包装用箱用展開シート。
【請求項３】
前記上面部材は、開口部の全面を封鎖する開閉板と、組立時において前記開閉板に連続する側面と対向する側面から連続し当該開閉板の全幅に亘って裏支えする前支持板と、組立後において当該前支持板の左右側方に位置し前記開閉板の左右側部を裏支えする一対の側支持板を備え、
前記上面部材のいずれか連続する上面部材群を補強面部材群とし、当該補強面部材群の境界線に前記間欠切込線を備えることを特徴とする請求項２に記載の包装用箱用展開シート。
【請求項４】
前記前側板と左右側板を前記被補強面部材群とし、
前記前支持板と一対の側支持板を前記補強面部材群とし、
前記前支持板と一対の側支持板との境界線に前記間欠切込線を備え、
前記一対の側支持板は、組立時における前記開閉板の閉鎖時において、前記開閉板との境界の折曲げ線の起点を始点とする４５度に傾斜した折畳み線をもって折り畳まれることを特徴とする請求項３に記載の包装用箱用展開シート。
【請求項５】
前記底面部材は、組立時に相対向して配置され各々が組み合って開口部の略全面を封鎖する組底板と、組立時において当該組底板の両側方に位置し各々がいずれか一方の組底板に貼着されて当該組底板の両側部を支える一対の側底板を備えることを特徴とする請求項２乃至請求項４のいずれかに記載の包装用箱用展開シート。
【請求項６】
請求項５に記載の包装用箱展開シートの組底板及び側底板が当該包装用箱展開シートの裏側へ偏平に折重ねられ、且つ各組底板の連結部の裏面がいずれか一方の側底板の表面の一部に貼着され、
当該包装用箱展開シートの両端部に位置する前記糊代片と前記面部材の端部が貼着されて偏平に折り重ねられていることを特徴とする包装用箱の中間材。
【発明の詳細な説明】
【技術分野】
【０００１】
本発明は、直方体状の包装用箱の組み立て精度を向上させる包装用箱用展開シート及び中間材に関するものである。
【背景技術】
【０００２】
医薬品などを内包する包装用箱は、一般的に、組み立ての便宜を図るべく、直方体状の包装用箱を構成する複数の面部材を保形目的の糊代と共に一連の展開シートとして裁断し、組立装置により中間材に自動組立てされることが多い。
前記中間材は、更に、商品の装填を経て封鎖工程に供され、前記商品と共に出荷されることとなる。
【０００３】
組立精度、即ち、前記中間材及び包装用箱の歩留まりは、前記複数の面部材が形成された展開シートにおける折代（折曲げ線）の正確さに依存するが、いかに正確な折代が形成されていようとも、各面部材間の連結辺が狭い場合には、当該展開シートの脆弱性によってその精度が活かされず、糊代が予定の位置から外れて糊付けされるなどの貼着位置のズレが生じ、中間材や包装用箱に歪みが生じる原因となる。
【０００４】
従来、組立時における貼着位置のズレは、平板の時に隣接する各フラップの先端縁が一直線上に並ぶように設定し、各フラップの先端部分に矯正部材を押し当てることによって矯正する手法が紹介されている（特許文献１参照）。
【先行技術文献】
【特許文献】
【０００５】
【特許文献１】特開平９−２５４９５４号公報
【発明の概要】
【発明が解決しようとする課題】
【０００６】
しかしながら、上記従来の手法では、各フラップの形状が、各々の先端が一直線上に並ぶ形状に制限され、包装用箱における側面以外の構成を用途に応じて柔軟に変更できないという問題がある。
【０００７】
本発明は、上記実情に鑑みてなされたものであって、直方体状の包装用箱を構成する面の連結辺（折曲げ線）が狭い場合にあっても、糊代が予定の位置から外れて糊付けされるなどの貼着位置のズレが生じない包装用箱用展開シート及び中間材の提供を目的とする。
【課題を解決するための手段】
【０００８】
上記課題を解決するために為された本発明による包装用箱用展開シートは、包装用箱を構成する面部材が一体に連結された展開シートであって、折曲げ線を介して直線的に連結された被補強面部材群の側方に、当該展開シートの組立時において前記折曲げ線による折りの指向性を補強し、当該展開シートの組立を終えた時に当該折曲げ線による折りの指向性の補強機能が解除される補強面部材群を折曲げ線を介して備え、前記補強面部材群は、前記被補強面部材群の折曲げ線の延長線上にあって組立時において分断される間欠切込線を介して連結されていることを特徴とする。
【０００９】
上記包装箱用展開シートは、例えば、直方体状の包装用箱を構成する複数の面部材が一体に連結された展開シートであって、前記包装用箱の側面を構成する四つの側面部材及びそれらを環状につなぐ糊代片が折曲げ線を介して一列に連結された基面部材群と、前記基面部材群の一側方に前記側面を構成する四つの側面部材の各々と折曲げ線を介して連結された四つの底面部材と、前記基面部材群の反対側方に前記側面を構成する四つの側面部材の各々と折曲げ線を介して連結された四つの上面部材とを備え、前記基面部材群を構成する面部材のいずれかからなる前記被補強面部材群の側方に、前記底面部材又は上面部材のいずれかからなり、且つ前記折曲げ線の延長線上にあって組立時において分断される間欠切込線を介して連結された前記補強面部材群が、折曲げ線を介して直線的に連結されている構成を採ることができる。
【００１０】
また、前記上面部材は、開口部の全面を封鎖する開閉板と、組立時において前記開閉板に連続する側面と対向する側面から連続し当該開閉板の全幅に亘って裏支えする前支持板と、組立後において当該前支持板の左右側方に位置し前記開閉板の左右側部を裏支えする一対の側支持板を備える構成であって、前記上面部材のいずれか連続する上面部材群を補強面部材群とし、当該補強面部材群の境界線に前記間欠切込線を備える構成を採ることができる。
【００１１】
更に、上記展開シートは、例えば、前記前側板と左右側板を前記被補強面部材群とし、前記前支持板と一対の側支持板を前記補強面部材群とし、前記前支持板と一対の側支持板との境界線に前記間欠切込線を備える構成であって、前記一対の側支持板は、組立時における前記開閉板の閉鎖時において、前記開閉板との境界の折曲げ線の起点を始点とする４５度に傾斜した折畳み線をもって折り畳まれる構成を採ることができる。
【００１２】
その他、前記底面部材は、組立時に相対向して配置され各々が組み合って開口部の略全面を封鎖する組底板と、組立時において当該組底板の両側方に位置し各々がいずれか一方の組底板に貼着されて当該組底板の両側部を支える一対の側底板を備える構成を採ることができる。
【００１３】
上記課題を解決するために為された本発明による包装用箱用中間材は、上記包装用箱展開シートの組底板及び側底板が当該包装用箱展開シートの裏側へ偏平に折重ねられ、且つ各組底板の連結部の裏面がいずれか一方の側底板の表面の一部に貼着され、当該包装用箱展開シートの両端部に位置する前記糊代片と前記面部材の端部が貼着されて偏平に折り重ねられていることを特徴とする。
【発明の効果】
【００１４】
本発明による包装用箱用展開シート及び中間材によれば、折曲げ線を介して直線的に連結された被補強面部材群の側方に、補強面部材群が並設されていることによって、当該基面部材群の脆弱性を補い正確な折曲げを含む組み立てを行うことができる。
【００１５】
また、前記被補強面部材群の側方に、それらの折曲げ線に連続し組立時において分断される間欠切込線を介して連結する補強面部材群が、直線的な折曲げ線を介して並設されていることによって、前記間欠切込線が破断されていない時は上記の如く当該基面部材群の脆弱性を補い、前記間欠切込線が破断された時には、前記補強面部材が他の機能を持つ場合には当該機能を奏し、当該補強面部材が他の機能を持たない場合には、組立後において当該補強面部材を当該展開シートから分離させることができる。
【図面の簡単な説明】
【００１６】
【図１】本発明による包装用箱用展開シートの一例を示す表面図である。
【図２】本発明による包装用箱用展開シートの組立時における一態様を示す裏面図である。
【図３】本発明による包装用箱用展開シートの組立時における一態様を示す裏面図である。
【図４】本発明による包装用箱用中間材の一例を示す表面図及び裏面図及びである。
【図５】本発明による包装用箱用展開シートの組立展開後における態様を示す（Ａ）：平面図、（Ｂ）：左側面図、（Ｃ）：正面図、（Ｄ）：右側面図、（Ｅ）：底面図及び（Ｆ）：背面図である。
【図６】本発明による包装用箱用展開シートの組立展開後（前支持板折曲げ後）における態様を示す（Ａ）：平面図、（Ｂ）：正面図、（Ｃ）：Ａ−Ａ矢視断面図及び（Ｄ）：Ｂ−Ｂ矢視断面図である。
【図７】本発明による包装用箱用展開シートの組立後（封鎖後）における一態様を示す（Ａ）：平面図、（Ｂ）：Ｃ−Ｃ矢視断面図、（Ｃ）：正面図、（Ｄ）：底面図、（Ｅ）：左側面図及び（Ｆ）：右側面図である。
【図８】本発明による包装用箱用展開シートの一例を示す正面図である。
【発明を実施するための形態】
【００１７】
以下、本発明による包装用箱用展開シート及びその中間材の実施の形態を、図面に基づき詳細に説明する。
図１に示す例は、本発明による包装用箱用展開シートの一例を示すものであって、包装用箱を構成する複数の面部材の全てが連結された展開シートである。
【００１８】
この例は、直方体状の包装用箱を構成する複数の面部材が連結された展開シートであって、右側面、前側面、左側面及び後側面を構成する四つの面部材（右側板１、前側板２、左側板３及び後側板４）及びそれらを環状につなぐ主糊代片５が直線的に一列に連結された基面部材群を備える。
前記基面部材群を構成する各面部材は、最も端に位置する主糊代片５を除いて、それぞれが一様の幅を持つ横長の直方体状に設定されており、前記基面部材群の各々は、全体として、横幅に比して縦幅が極めて短い形態を持つ。
上記構成により、前記基面部材群は、単体では側方への変形及び捩れに対する抵抗力が脆弱となり、前記折曲げ線に副って正確に組み立てるには何らかの補強が必要となる。
【００１９】
この例の前記基面部材群を構成する四つの面部材は、各々の一方の側方（一側方）に直線的な折曲げ線を介して、それぞれ右底板（側底板）６、前底板（組底板）７、左底板（側底板）８及び後底板（組底板）９が底面部材（以下これらを「底面部材群」という）として連結されている。
一方、前記四つの面部材は、その反対側の側方（反対側方）に直線的な折曲げ線を介して、それぞれ右支持板（側支持板）１０、前支持板１１、左支持板（側支持板）１２及び開閉板１３が上面部材（以下これらを「上面部材群」という）として連結されている。
【００２０】
前記右底板６及び左底板８は、前記右側板１及び左側板３の下縁に、先端縁から基端縁に向けて広がった同様の台形状に設定されている。
前記前底板７及び後底板９は、前記前側板２及び後側板４の下縁から延設された同形状の底面部材であって、各々が対向し相互に組み合う形状とされている。
【００２１】
この例の前記前底板７及び後底板９は、下開口部を閉じる台形状の封鎖部７ａ，９ａと、当該封鎖部７ａ，９ａの先端部においてその端縁の左右いずれか半分から延出し対となる封鎖板７，９の封鎖部７ａ，９ａの裏側に差し入れられる挿入部７ｂ，９ｂと、当該挿入部７ｂ，９ｂの反対側端部に配置され、隣接する右底板６又は左底板８の表面に貼着される連結部７ｃ，９ｃを備える。
【００２２】
前記封鎖部７ａ，９ａは、前記前側板２及び後側板４の下端縁から前記右側板１及び左側板３の幅の半分張り出す均等な奥行きと直線的な中端縁を、組立後において前記下開口部の中央が起点となるように備える。
前記挿入部７ｂ，９ｂは、前記起点を境として左右いずれか半分の領域に略均一な奥行きで突出する様に設けられ、直線的な先端縁と、当該先端縁の前記起点側に隣接して配置された円弧状の誘導縁を備える。
【００２３】
前記連結部７ｃ，９ｃは、前記中端縁の側端部に配置され、前記直線的な中端縁と平行に、前記挿入部７ｂ，９ｂと同じ長さの奥行きを持った端縁を備え、組立前における中間材の状態において、前記前底板７及び後底板９の境界の折曲げ線の起点を始点とする４５度に傾斜した折畳み線をもって折り畳まれ、組立後における前記前底板７及び後底板９の閉鎖時において、前記折畳み線をもって折り畳まれた状態から展開する。
以上の構成をもって、この例の前記前底板７及び後底板９は、全体としてその先端縁の一部が中端縁として後退した略台形状となる。
【００２４】
前記前支持板１１は、前記前側板２の上縁全域に亘り、当該上縁と平行な先端縁を持つ長方形状の面部材である。
前記右支持板１０及び左支持板１２は、前記右側板１及び左側板３の上縁全域に亘る横辺を有し、当該横辺の側端部から起立する縦辺と相俟って全体としてＬ字状を形作ると共に、前記右側板１及び左側板３の上縁から延設された前記右支持板１０及び左支持板１２は、前記前支持板１１を挟み且つ各々の縦辺を外側に配置した向きで対称的に配置されている。
【００２５】
前記開閉板１３は、前記後側板４の上縁全域から延出し、上開口部の全域を覆う長方形状の本体１３ａと、当該本体１３ａの先端縁全域から延出し、前記前側板２の全長（高さ）を覆う弓状の先端縁を有する前掛け板１６と、前記前掛け板１６の先端縁中央部から延出し前記前底板７に係止するフック部１５ａを離脱させるための切込みを備える半円状のアンカー片１５と、前記右支持板１０の前記縦辺に貼着される副糊代片１４を備える。
【００２６】
前記右支持板１０、前支持板１１、左支持板１２及び開閉板１３は、隣接する面部材の側縁が連結され、それぞれの境界線にエンボス加工などの脆弱処理が施された折曲げ線が形成されている。
上記の如く連結した複数の上面部材（上面部材群）が前記基面部材群と連結して並走する構成を採ることにより、当該基面部材群の脆弱性を補う補強面部材群として機能する。
即ち、この例の前記左支持板１２は、分断を予定しない折曲げ線を介して前記開閉板１３と連結されているため、前記開閉板１３及び左支持板１２は、左側板３と後側板４からなる面部材群を終始補強することとなる。
【００２７】
一方、前記前支持板１１は、組立時において上開口部の前方に折曲げられて前記開閉板１３を裏支えする機能を果たすことが予定されているため、前記前支持板１１と左右支持板１０，１２との境界線に、組立時に分断するための間欠切込線Ａが穿設されている。
これにより、当該間欠切込線Ａが分断されるまでは、前記前支持板１１、右支持板１０及び左支持板１２並びにその折曲げ線は、前記前側板２、右側板１及び左側板３並びにその折曲げ線（以下「被補強面部材群」という）を補強する補強面部材群として機能し、前記間欠切込線Ａが分断された後は、前記前支持板１１所定の機能を奏する。
【００２８】
尚、中間材となった後において、前記右支持板１０が、前記開閉板１３の右側縁から延出した副糊代片１４と貼着され、前記右側板１が、前記後側板４の右側縁から延出した主糊代片５と貼着されることによって、前記副糊代片１４及び前記開閉板１３並びにその間の折曲げ線は、前記右側板１及び主糊代片５並びにその折曲げ線（以下「被補強面部材群」という）を補強する補強面部材群として機能する。
【００２９】
この例は、前記右支持板１０、前支持板１１、左支持板１２及び開閉板１３からなる前記上面部材に、前記補強面部材群としての機能以外の機能を与えた例であるが、当該上面部材に前記補強面部材群としての機能のみを持たせる場合には、当該機能に不要な折曲げ線を破断し、当該機能に不要な部分を組立後に切り離すことが出来る構成としてもよい。
【００３０】
例えば、図８に示す展開シートは、前記右側板１、前側板２、左側板３及び後側板４並びにそれらを環状につなぐ主糊代片５が直線的に一列に連結された基面部材群と、各々の一方の側方に直線的な折曲げ線を介して、それぞれ前記右底板６、前底板７、左底板８及び後底板９が一列に配置された底面部材群と、その反対側の側方に直線的な折曲げ線を介して、それぞれ右支持板１０、前支持板１１、左支持板１２及び開閉板１３が一列に連結された上面部材群とからなる展開シートである。
【００３１】
この例では、前記右支持板１０及び左支持板１２は同じ方形状に設定され、前記左支持板１２は、前記前支持板１１と開閉板１３の間に折曲げ線を介在させる構成が採られている。
また、一列に連結された前記右支持板１０、前支持板１１、左支持板１２及び開閉板１３からなる上面部材群それぞれの境界線である折曲げ線には、組立時において分断される間欠切込線Ａが形成されている。
更に、前記前支持板１１と前側板２のとの境界線である折曲げ線には、組立時において分断される間欠切込線Ａが形成され、当該前支持板１１を組立後において分離する構成が採られている。
【００３２】
＜組み立て（中間材）＞
図１の例は、先ず、前記右底板６、前底板７、左底板８及び後底板９のそれぞれを、前記右側板１、前側板２、左側板３及び後側板４との境界線である折曲げ線で折重ね、前記前底板７及び後底板９の前記連結部７ｃ，９ｃを折畳み線で折重ねる（図２及び図３参照）。
次に、前記左側板３及び左支持板１２と前記後側板４及び開閉板１３の境界線である折曲げ線で折重ねると共に、前記右側板１及び右支持板１０と前記前側板２及び前支持板１１の境界線である折曲げ線で折重ねる。
【００３３】
その際、前記主糊代片５及び副糊代片１４と前記右側板１及び前記右支持板１０の端縁部を貼着し、前記基面部材群の無端化（環状化）工程を行うと共に、前記前底板７及び後底板９の連結部７ｃ，９ｃの裏面と、前記右底板６及び左底板８の表面を貼着することによって当該包装用箱の中間材が完成する（図４参照）。
【００３４】
＜組み立て（展開）＞
前記中間材は、前記無端化工程において折重ねられた面部材を９０度に展開すると共に、当該無端化工程において折曲げられていなかった前記左側板３と前側板２及び前記左支持板１２と前支持板１１の折曲げ線、前記右側板１と後側板４及び前記右支持板１０と開閉板１３の折曲げ線で、それらを挟む両側の面部材が９０度となるように折曲げることによって展開される（図５参照）。
この操作によって、前記基面部材群は筒状に成形され、前記底面部材群は、自動的に当該筒状の下開口部を封鎖する略平坦な底板となり、製品装填前の包装用箱（以下「空き箱」という）が形成される。
【００３５】
＜組み立て（挿填・封鎖）＞
前記空き箱は、所定の形態で製品の装填が行われた後に、前記間欠切込線Ａ，Ａを分断して当該空き箱の内側へ９０度折曲げ（図６参照）、前記右支持板１０及び左支持板１２を箱の内側へ押し入れつつ各々の折畳み線で折畳み、同時に、前記開閉板１３を前記後側板４との境界線である折曲げ線で空き箱の開口部側に９０度折曲げることによって、前記右支持板１０及び左支持板１２の双方が前記開閉板１３の裏側の外縁内に収まる形で閉鎖される。  
【００３６】
次に、前記前掛け板１６を、開閉板１３との境界線である折曲げ線で空き箱の前側板２に沿うように９０度折曲げ、前記前掛け板１６で、前記前側板２を覆う。
続いて、前記前掛け板１６の中央から延出したアンカー片１５を、当該前掛け板１６との境界線である折曲げ線で当該空き箱の前底板７に沿うように９０度折曲げ、当該アンカー片１５のフック部１５ａを前記前底板７に設けた切込Ｂに前向きに挿し入れ、当該アンカー片１５を当該前底板７に密着させて係止する。
以上の操作をもって当該包装用箱は封鎖され、再封時においても同様の操作をもって完了する（図７参照）。  
【００３７】
なお、この発明は上記実施例に限定されるものではなく、折曲げ線を介して直線的に連結された被補強面部材群の側方に、当該展開シートの組立時において前記折曲げ線による折りの指向性を補強し、当該展開シートの組立を終えた時に当該折曲げ線による折りの指向性の補強機能が解除される補強面部材群を折曲げ線を介して備え、前記補強面部材群は、前記被補強面部材群の折曲げ線の延長線上にあって組立時に分断される間欠切込線を介して連結されている構成を具備する限りにおいて、例えば、側面部材の配置又は大きさや、上面部材又は下面部材の形状などを適宜変更することが可能である。
包装用箱の材質は、紙やプラスチック等、自由に選択可能である。折曲げ線や切込の形状も、前記機能を損なわない限りにおいて適宜変更可能である。
【符号の説明】
【００３８】
Ａ  間欠切込線，Ｂ  切込，  
１  右側板，２  前側板，３  左側板，４  後側板，５  主糊代片，
６  右底板，
７  前底板，７ａ  封鎖部，７ｂ  挿入部，７ｃ  連結部，
８  左底板，
９  後底板，９ａ  封鎖部，９ｂ  挿入部，９ｃ  連結部，
１０  右支持板，１１  前支持板，１２  左支持板，
１３  開閉板，１３ａ  本体，
１４  副糊代片,  
１５  アンカー片，１５ａ  フック部，
１６  前掛け板，
【図１】
2020172324.tif 000003
【図２】
2020172324.tif 000004
【図３】
2020172324.tif 000005
【図４】
2020172324.tif 000006
【図５】
2020172324.tif 000007
【図６】
2020172324.tif 000008
【図７】
2020172324.tif 000009
【図８】
2020172324.tif 000010